(57)【要約】【課題】アレンジメントする容器又は土台が色移りするような布製品であるトゥシューズ又はバレエシューズであっても、生花に近いプリザーブドフラワーで美しく且つ綺麗に装飾し、思い出として残しつつ飾ることができるメモリアル装飾品を提供することを目的とする。【解決手段】前記トゥシューズ又は前記バレエシューズ内部に収容されるスポンジ状の形成体及びポリエステル製の化繊綿体とで構成される花飾り装飾部と、前記花飾り装飾部に固定配置されるプリザーブドフラワー構成される装飾体と、前記トゥシューズ又は前記バレエシューズの挿入口縁部と前記装飾体との間に挿入される造花及び／又はリボンで構成される中間部材とを備える。 【選択図】図１
2016020033.tif 000002
【特許請求の範囲】
【請求項１】
トゥシューズ又はバレエシューズと、
前記トゥシューズ又は前記バレエシューズ内部に収容されるスポンジ状の形成体及びポリエステル製の化繊綿体とで構成される花飾り装飾部と、
前記花飾り装飾部に固定配置されるプリザーブドフラワー構成される装飾体と、
前記トゥシューズ又は前記バレエシューズの挿入口縁部と前記装飾体との間に挿入される造花及び／又はリボンで構成される中間部材とを備えることを特徴とするメモリアル装飾品。
【請求項２】
前記形成体が前記トゥシューズ又は前記バレエシューズの内周に沿う８角柱又は円筒形であることを特徴とする請求項１に記載のメモリアル装飾品。
【請求項３】
トゥシューズ又はバレエシューズと、
前記トゥシューズ又は前記バレエシューズ内部に収容されるスポンジ状の形成体及びポリエステル製の化繊綿体とで構成される花飾り装飾部と、
前記花飾り装飾部に固定配置されるプリザーブドフラワーで構成される装飾体と、
前記装飾体と前記トゥシューズ又は前記バレエシューズの挿入口縁部との間隙に造花及び／又はリボンで構成される中間部材を備えたメモリアル装飾品の製造方法であって、
前記形成体を前記トゥシューズ又は前記バレエシューズの内周に沿う８角柱又は円筒形に成形する形成体成形工程と、
前記形成体を前記トゥシューズ又は前記バレエシューズの内底にボンドで固定する形成体固定工程と、
前記トゥシューズ又は前記バレエシューズの外側面にしわを除去するために前記トゥシューズ又は前記バレエシューズと前記形成体との間に一つ又は複数のポリエステル製の化繊綿体を配置するしわ除去工程と、
前記装飾体と前記トゥシューズ又は前記バレエシューズの挿入口縁部との間隙に造花及び／又はリボンで構成される中間部材を配置する中間部材配置工程と、
前記形成体に前記装飾体を配置するアレンジ工程と、
前記メモリアル装飾品を額装する仕上げ工程とを含むことを特徴とするメモリアル装飾品の製造方法。
【発明の詳細な説明】
【技術分野】
【０００１】
本発明は、プリザーブドフラワーを主材料としてトゥシューズ又はバレエシューズに各種の創作を施して作成したメモリアル装飾品及びその製造方法に関する。
【背景技術】
【０００２】
現在、生花を特殊加工したプリザーブドフラワーを用いて種々のフラワーアレンジメントが作られている。プリザーブドフラワーは一般的には、脱色した生花を、グリセリンを主とした溶液に浸して着色し、その後乾燥させて作成するもので、その花の組織を保ちながら、生花の手触りなどを長い間保ちながら鑑賞できるものである。また、近年造花においても生花とほぼ見分けがつかないようなものもあり長い期間その美しさを鑑賞することができるようなものがある。
【０００３】
プリザーブドフラワーのアレンジは、湿度等日本の四季の問題から色うつりなどの問題から、陶器や籠などにアレンジメントするものが殆どであった。従って、布製品などを器としてプリザーブドフラワーを用いてアレンジメントを行うことは困難であり、例えば、思い出の品が布製品であった場合アレンジメントをし、記念品として残すことができなかった。
【０００４】
プリザーブドフラワーを採用した装飾体については、生花の非耐久性や着衣への色写りなどの問題点などを解決するため、生花に近い華やかさと優しさの表現と高い保存性を合わせ持つプリザーブドフラワーを用いてブーケ、コサージュ、アレンジメント等を創作する技術に着目し、日本固有の伝統工芸品技術として慶弔に用いられる水引を造形してコラボレーションさせる装飾体が提案されている（特許文献１）。しかし、プリザーブドフラワーであっても原色や原色に近い色で着色されたものについては布製品などへの色移りが発生してしまうことがあった。
【０００５】
布製品を器としたアレンジを行う場合、生花では枯れてしまうため記念品として残すことが困難である、また、造花を使用する場合は本物の質感が失われます、さらに、プリザーブドフラワーを使用する場合は原色に近いものの場合色移りなどの問題が発生してしまい記念品としてのメモリアルアレンジメントを行うことができなかった。
【０００６】
幼少時よりバレエなどを習っておりファーストシューズを記念として残したいとき、上述のような問題からプリザーブドフラワーでアレンジメントし長期間装飾品として飾ることはできなかった。小さいときからバレエをされても、なかなか使用したトゥシューズ又はバレエシューズを保管はしていても装飾品として飾ることはないが、親御様からの御要望で綺麗な形で思い出を残したいと相談があり考案した。
【先行技術文献】
【特許文献】
【０００７】
【特許文献１】特開２００９−１０１６２３号公報
【発明の概要】
【発明が解決しようとする課題】
【０００８】
本発明者は、布製品にプリザーブドフラワーや造花などを施すアレンジメントにおける色移りの問題点などを解決するため、使用又は未使用の布製のトゥシューズ又はバレエシューズに原色や原色に近い色で着色されたプリザーブドフラワー又は造花であっても、アレンジメント等を施し、思い出の品として長く美しくきれいに保管できるようなメモリアル装飾品について開発を行った。
【０００９】
本発明は、かかる従来の問題点に鑑みてなされたもので、アレンジメントする容器又は土台が色移りするような布製品であるトゥシューズ又はバレエシューズであっても、生花に近いプリザーブドフラワーで美しく且つ綺麗に装飾し、思い出として残しつつ飾ることができるメモリアル装飾品を提供することを目的とするものである。
【課題を解決するための手段】
【００１０】
上述の目的を達成するため、本発明の第１のメモリアル装飾品は、前記トゥシューズ又は前記バレエシューズ内部に収容されるスポンジ状の形成体及びポリエステル製の化繊綿体とで構成される花飾り装飾部と、
前記花飾り装飾部に固定配置されるプリザーブドフラワー構成される装飾体と、
前記トゥシューズ又は前記バレエシューズの挿入口縁部と前記装飾体との間に挿入される造花及び／又はリボンで構成される中間部材とを備えることを特徴とする。
【００１１】
上述の目的を達成するため、本発明の第２のメモリアル装飾品は、
前記形成体が前記トゥシューズ又は前記バレエシューズの内周に沿う８角柱又は円筒形であるを特徴とする。トゥシューズ又はバレエシューズと、
上述の目的を達成するため、本発明の第１のメモリアル装飾品の製造方法は、トゥシューズ又はバレエシューズと、
前記トゥシューズ又は前記バレエシューズ内部に収容されるスポンジ状の形成体及びポリエステル製の化繊綿体とで構成される花飾り装飾部と、
前記花飾り装飾部に固定配置されるプリザーブドフラワーで構成される装飾体と、
前記装飾体と前記トゥシューズ又は前記バレエシューズの挿入口縁部との間隙に造花及び／又はリボンで構成される中間部材を備えたメモリアル装飾品の製造方法であって、
前記形成体を前記トゥシューズ又は前記バレエシューズの内周に沿う８角柱又は円筒形に成形する形成体成形工程と、
前記形成体を前記トゥシューズ又は前記バレエシューズの内底にボンドで固定する形成体固定工程と、
前記トゥシューズ又は前記バレエシューズの外側面にしわを除去するために前記トゥシューズ又は前記バレエシューズと前記形成体との間に一つ又は複数のポリエステル製の化繊綿体を配置するしわ除去工程と、
前記装飾体と前記トゥシューズ又は前記バレエシューズの挿入口縁部との間隙に造花及び／又はリボンで構成される中間部材を配置する中間部材配置工程と、
前記形成体に前記装飾体を配置するアレンジ工程と、
前記メモリアル装飾品を額装する仕上げ工程とを含むを特徴とする。
【発明の効果】
【００１２】
本発明の第１のメモリアル装飾品は、トゥシューズにプリザーブドフラワーで構成される装飾体の色うつりをりぼん又は造花を中間部材として使用することにより防止し、解決できることになり従来になかった効果が得られるものとなる。
【００１３】
本発明の第２のメモリアル装飾品は、そのままでは装飾するにはふさわしくなくメモリアルな部分を出すため使用するプリザーブドフラワー及び／又は造花の種類と色を決定することでよりメモリアルな従来になかった効果が得られるものとなる。さらに、ケースの内部に取り付けるため湿度に弱いプリザーブドフラワーの耐久年数をはるかにこえることでより長い間メモリアル装飾品としての価値を見出すもので、従来になかった効果が得られるものとなる。
【００１４】
本発明の第１のメモリアル装飾品の製造方法はすべてにおいて、トゥシューズとプリザーブドフラワー及び／又は造花で構成される装飾体の価値を相乗的に高め細かいところにまで配慮され従来になかった効果が得られるものとなる。
【図面の簡単な説明】
【００１５】
【図１】本発明の第１実施形態のメモリアル装飾品を説明する図である。
【図２】本発明の第１実施形態のメモリアル装飾品を説明する図である。
【図３】本発明の第１実施形態のメモリアル装飾品を説明する図である。
【発明を実施するための形態】
【００１６】
以下、本発明のメモリアル装飾品及びその製造方法の実施形態について、図面を参照して詳細に説明する。
【００１７】
図１は、第１実施形態におけるメモリアル装飾品を説明する図である。メモリアル装飾品１０は、トゥシューズ１と、トゥシューズ１内部に収容されるスポンジ状の形成体４及びポリエステル製の化繊綿体５とで構成される花飾り装飾部と、花飾り装飾部に固定配置されるプリザーブドフラワー構成される装飾体２とで構成され、トゥシューズ１の挿入口縁部と装飾体との間に造花及び／又はリボンで構成される中間部材３が挿入されている。このような構成によりトゥシューズ１を生花で装飾するような質感を再現することができる。本実施例においてはトゥシューズ１を使用した一例を示すが、トゥシューズ以外にバレエシューズを使用することもできる。
【００１８】
トゥシューズ１は、その後方の踵部に対応する挿入部があり、その挿入部に結びリボンの基端が逢着してあり、この靴本体の裏底には革製のソールが張られたものである。また、トゥシューズ１又はバレエシューズが使用済みの場合、汚れやしわがあるので、洗濯やクリーニングの処理などを行っておく。使用済みの場合クリーニング処理をおこなってもにおいなどが残っている場合、外気に触れさせる状態で半日乃至１日程度放置しておく。また、しわなどが残っている場合は、トゥシューズ１又はバレエシューズの内部からアイロンなどをあて可能な限りしわを伸ばしておく。
【００１９】
形成体４は、スポンジ状で構成されるものであって、ウレタン素材のものが適している。形状については、トゥシューズ１の挿入部及び内部の形状に自然に沿うような形で有り、８角柱又は円筒であることが好ましい。
【００２０】
ポリエステル製の化繊綿体５は、適度なやわらかさと丸めてつめることにより固さもあるものであって、テトロン綿が最も適している。本来履いたときのふくらみが出るようにしわ除去工程の１つとなり適度に詰めることにより丸みを出す。
【００２１】
中間部材３は造葉であるものを説明するが、中間部材３については、造葉、造花又はリボン、さらにそれらの組み合わせであってもよい。リボンについては、両端に２本、または中心に１本のワイヤーなどが配された形状を固定しやすいものなどが好ましい。
【００２２】
実施形態におけるメモリアル装飾品１０の製造方法について図２に示すように、メモリアル装飾品１０は、形成体４をトゥシューズ１又はバレエシューズの内周に沿う８角形又は円筒形に成形する形成体成形工程と、形成体４をトゥシューズ１又はバレエシューズの内底にボンドで固定する形成体固定工程と、トゥシューズ１又はバレエシューズの外側面にしわを除去するためにトゥシューズ１又はバレエシューズと形成体４との間に一つ又は複数のテトロン綿体５を配置するしわ除去工程と、装飾体とトゥシューズ１又はバレエシューズの挿入口縁部との間隙に造花及び／又はリボンで構成される中間部材３を配置する中間部材配置工程と、形成体に装飾体を配置するアレンジ工程と、メモリアル装飾品を額などに配置する仕上げ工程とからなる。
【００２３】
形成体成形工程は、カッターで８角柱となるように切る。サイズはトゥシューズ１又はバレエシューズに合わせて足入れのサイズより長さは２cm長く幅は１cm小さく高さはトゥシューズ１又はバレエシューズの高さより１cm小さくカットする。
【００２４】
形成体固定工程は、形成体４のトゥシューズ１の内底に接する面（下側面）にグル―ボンドをつけて貼る。
【００２５】
しわ除去工程は、クリーニングされたトゥシューズ１又はバレエシューズのしわが目立つ部分のみアイロンを当てる。さらに凹みのしわには、テトロン綿体５を詰めることによりふくらみをつくりしわ除去をする。
【００２６】
中間部材配置工程は、トゥシューズ１の挿入後縁部に沿うように形成体４に造葉３を差し込む。本実施例においては、中間部材３として造葉を使用した場合を説明したが、中間部材３としてトゥシューズ１の挿入後縁部に沿うよう、りぼんをフリル状にして差し込むや、造花などを利用することも可能である。
【００２７】
アレンジ工程は、プリザーブドフラワー２を配置する。この時２足を少しずらして設置するため配色の配置に気をつけながら配置する。この配置されるプリザーブドフラワー２は重ならないように少しずつずらしてバランスよく配置する。順にアジサイ、副素材のピック、かすみ草。リーフを入れていく。土台にトゥシューズ１又はバレエシューズの裏側にボンドを着け２足を少しずらして固定。トゥシューズ１又はバレエシューズのりぼんを結びきれいなラインにボンドで固定する。
【００２８】
仕上げ工程は、図３に示すように、トゥシューズ１の外裏底に乾燥剤をボンドで貼る。また乾燥剤をトゥシューズ１又はバレエシューズ内に入れることで色うつりを防ぎプリザーブドフラワー２の耐久年数をさらに超えるものとする。トゥシューズ１又はバレエシューズを貼り付ける土台にバランスよく２足をずらして貼る。完成したメモリアル装飾品１０を木又はスチール・プラスティック・金属形状の額６にボンドで固定配置する。額６以外では、アクリルケースなどにメモリアル装飾品１０を固定配置こともできる。額６は枠だけのもの、ボックス型のもの、又は、アクリルケースなどのようなものを使用することができ、ボックス型やアクリルケースのような内部が密閉されたものであれば、乾燥材などの効果より長期間にわたる保存が可能となる。りぼんは4本をまとめて結びそれぞれの紐を数箇所ボンドで固定して、バランスよく巻き垂らす。メモリアル装飾品１０を飾る額６又はボックス等の側面にはプリザーブドフラワー２は接触しないように装飾する。副素材もこれと同じく、プリザーブドフラワー２への接触はしない。なぜなら塗料により接触部位が解ける場合があるためである。
【符号の説明】
【００２９】
１    トゥシューズ
２    装飾体（プリザーブドフラワー）
３    中間部材（造葉）
４    形成体
５    テトロン綿体
６    額
１０  メモリアル装飾品
【図１】
2016020033.tif 000003
【図２】
2016020033.tif 000004
【図３】
2016020033.tif 000005